(57)【要約】  【課題】  迅速に穴開けができるとともに穴開け作業をした後に筒状刃の内側に付着した土等を簡単に取り除くことができるマルチフィルム穴開け装置を提供すること。【解決手段】      横断面が閉鎖環状（例えば、円環状）の筒状刃２と、この筒状刃２に接続した柄６と、当該筒状刃２の内側に配設され外部からの移動操作で当該筒状刃２の内壁面４と接触しながら当該筒状刃２の軸線方向に移動するスクレーパ７とを備える。スクレーパ７に、当該スクレーパ７が後退位置に位置決めされている場合でも筒状刃２よりも突出した突出棒２１が装着する。【選択図】      図１
2007074961.tif 000002
【特許請求の範囲】
【請求項１】
先端にマルチフィルムカット用の刃部が形成されかつ横断面が閉鎖環状の筒状刃と、この筒状刃に接続した柄と、当該筒状刃の内側に配設され外部からの移動操作で当該筒状刃の内壁面に沿って移動して当該内壁面に付着した物と摺接するスクレーパとを備えたマルチフィルム穴開け装置。
【請求項２】
前記スクレーパに、当該スクレーパが後退位置に位置決めされている場合でも前記筒状刃よりも突出した突出棒が装着された請求項１記載のマルチフィルム穴開け装置。
【発明の詳細な説明】
【技術分野】
【０００１】
本発明は、苗の上方部等に敷設されるマルチフィルムに穴を開ける場合などに使用されるマルチフィルム穴開け装置に関するものである。
【背景技術】
【０００２】
従来、マルチフィルム穴開け装置として、例えば特許文献１の装置が提案されている。
【０００３】
このマルチフィルム穴開け装置は、中空軸の上部にハンドルを付け下部に筒状刃を付けた構成とされている。
【特許文献１】特開２００４−２２２６９５号公報
【発明の開示】
【発明が解決しようとする課題】
【０００４】
しかし、上記した特許文献１のマルチフィルム穴開け装置では、迅速に穴開けができるという利点はあるかもしれないが、穴開け作業をした後に筒状刃の内側に付着した土等を取り除かなければならず手間がかかる。その結果、全体としての穴開け作業は時間がかかってしまう。
【０００５】
本発明の目的は、迅速に穴開けができるとともに穴開け作業をした後に筒状刃の内壁面に付着した土等を簡単に取り除くことができるマルチフィルム穴開け装置を提供することにある。
【課題を解決するための手段】
【０００６】
上記目的を達成するために、請求項１の発明は、先端にマルチフィルムカット用の刃部が形成されかつ横断面が閉鎖環状の筒状刃と、この筒状刃に接続した柄と、当該筒状刃の内側に配設され外部からの移動操作で当該筒状刃の内壁面に沿って移動して当該内壁面に付着した物と摺接するスクレーパとを備えたマルチフィルム穴開け装置である。
【０００７】
上記請求項１の発明の場合、例えば、作業者が柄を持って筒状刃をマルチフィルムの穴開け箇所に突き出せば、当該筒状刃の横断面形状（例えば、円環状）にマルチフィルムに穴が開くことになる。
【０００８】
穴開け後、筒状刃の外部からスクレーパを移動操作して軸線方向に移動すれば、当該スクレーパは筒状刃の内壁面と摺接する。これにより、筒状刃の内壁面に付着した土やマルチフィルムのカット片等を簡単に取り除くことができる。
【０００９】
また、請求項２の発明は、前記スクレーパに、当該スクレーパが後退位置に位置決めされている場合でも前記筒状刃よりも突出した突出棒が装着された請求項１記載のマルチフィルム穴開け装置である。
【００１０】
上記請求項２の発明の場合、請求項１の発明に加えて、筒状刃でマルチフィルムに穴を開ける場合に、当該マルチフィルムに最初に突出棒が突き刺さり、穴開け位置を決定するので当該筒状刃による穴開けを正確な予定位置に行える。また、穴明け中も、突出棒がマルチフィルムや土に突き刺さっており、装置全体がぐらつかないように姿勢を正確に保持するので筒状刃による穴開けを一段と安全にかつ正確に行える。
【発明の効果】
【００１１】
請求項１の発明によれば、横断面が閉鎖環状（例えば、円環状）の筒状刃と、この筒状刃に接続した柄と、当該筒状刃の内側に配設され外部からの移動操作で当該筒状刃の内壁面と接触しながら当該筒状刃の軸線方向に移動するスクレーパとを備えているので、迅速に穴開けができるとともに、穴開け作業をした後に筒状刃の内壁面に付着した土等を簡単に取り除くことができる。
【００１２】
また、請求項２の発明によれば、前記スクレーパに、当該スクレーパが後退位置に位置決めされている場合でも前記筒状刃よりも突出した突出棒が装着されているので、請求項１の発明の場合と同様な効果を奏するとともに、筒状刃でマルチフィルムに穴を開ける場合に、当該マルチフィルムに最初に突出棒が突き刺さり、穴開け位置を決定するので当該筒状刃による穴開けを正確な予定位置に行える。また、穴明け中も、突出棒がマルチフィルムや土に突き刺さっており、装置全体がぐらつかないように姿勢を正確に保持するので筒状刃による穴開けを一段と安全にかつ正確に行える。
【発明を実施するための最良の形態】
【００１３】
以下、本発明の実施の形態を図面を参照しながら説明する。
【００１４】
本発明に係るマルチフィルム穴開け装置１は、図１および図２に示すように、横断面が閉鎖環状（例えば、円環状）の筒状刃２と、この筒状刃２に接続した柄６と、当該筒状刃２の内側に配設され外部からの移動操作で当該筒状刃２の内壁面４と接触しながら当該筒状刃２の軸線方向に移動するスクレーパ７とを備えている。
【００１５】
具体的には、筒状刃２は、その横断面が閉鎖環状（この実施例では、円環状）に形成されており、先端部には鋸状の刃部３が形成されている。
【００１６】
柄６は、長尺のパイプから形成されており、第１取付部材８および第２取付部材９を介して、その縦軸線が筒状刃２の軸線と合致するように当該筒状刃２の後端部に接続されている。なお、第１取付部材８は、柄６の先端に固着されており、筒状刃２に固着されている第２取付部材９とはねじ結合されている。したがって、柄６は、筒状刃２とは取り外し可能で、保管する際の際に取り外して別々に収容することもできる。また、筒状刃２を直径の異なる何種類か用意しておき、使用する筒状刃２が決まったらそれに柄６を装着することができる。
【００１７】
スクレーパ７は、上記した筒状刃２の内側に配設されており、かつ、外部からの移動操作で当該筒状刃２の内壁面４に沿って移動して当該内壁面４に付着した物と摺接する構成とされている。より具体的には、スクレーパ７は、筒状刃２の横断面形状に合わせて円板状とされており、ワッシャ１１およびナット１２を介して外部操作用の棒１３の先端寄り部分と接続されている。この棒１３は、上記した柄６の内部を通ってその後端部が当該柄６より外部に出ている。上記棒１３の後端部には、操作しやすいように、摘み部１４が設けられている。なお、柄６の上部には握り部１５が設けられている。上記棒１３の先端部は、スクレーパ７が図２に示す後退位置にある場合でも筒状刃２よりも外に突出しており、先に行くほど横断面直径が小さくなる円錐状に形成されている。
【００１８】
上記請求項２の発明の場合、請求項１の発明に加えて、筒状刃でマルチフィルムに穴を開ける場合に、当該マルチフィルムに最初に突出棒が突き刺さり、穴開け位置を決定するので当該筒状刃による穴開けを正確な予定位置に行える。また、穴明け中も、突出棒がマルチフィルムや土に突き刺さっており、装置全体がぐらつかないように姿勢を正確に保持するので筒状刃による穴開けを安全にかつ正確に行える。
【００１９】
上記した構成のマルチフィルム穴開け装置１では、例えば、作業者が柄６の握り部１５を持って筒状刃２をマルチフィルム４１の穴開け箇所に突き出せば（図２中で矢印Ｂ方向に移動すれば）、まず最初に、図２に示すように、当該マルチフィルム４１および土４２に突出棒２１が突き刺さり、穴開け開始位置を決定するので穴開けを正確な予定位置に行える。そして、次に、筒状刃２がマルチフィルム４１と接触し、当該筒状刃２の横断面形状（円環状）に応じた形状の穴がマルチフィルム４１に開くことになる。なお、穴開け中も、突出棒２１がマルチフィルム４１や土４２に突き刺さっており、装置全体１がぐらつかないように姿勢を正確に保持するので筒状刃２による穴開けを安全にかつ正確に行える。
【００２０】
穴開け後、図４に示すように、柄６を引っ張って（矢印Ａ方向に移動して）、筒状刃２をマルチフィルム４１の穴開け箇所から離し、その状態で外部操作用の棒１３を押し出せば（矢印Ｂ方向に移動すれば）、スクレーパ７が移動操作して軸線方向に移動する。これにより、スクレーパ７は筒状刃２の内壁面４に沿って移動して、当該筒状刃２の内壁面４に付着した土やマルチフィルム４１のカット片等と摺接する。そして、筒状刃２の内壁面４から離れた土やマルチフィルム４１のカット片等は重力によって落下する。すなわち、筒状刃２の外部へ排出される。
【００２１】
而して、マルチフィルム穴開け装置１は、横断面が円環状の筒状刃２と、この筒状刃２に接続した柄６と、当該筒状刃２の内側に配設され外部からの移動操作で当該筒状刃２の内壁面４に沿って移動して当該内壁面４に付着した物と摺接するスクレーパ７とを備えているので、迅速に穴開けができるとともに、穴開け作業をした後に筒状刃２の内壁面４に付着した土等を簡単に取り除くことができる。
【００２２】
また、スクレーパ７に、当該スクレーパ７が後退位置に位置決めされている場合でも筒状刃２よりも突出した突出棒２１が装着されているので、筒状刃２でマルチフィルム４１に穴を開ける場合に、当該マルチフィルム４１に最初に突出棒２１が突き刺さり、穴開け位置を決定するので当該筒状刃２による穴開けを正確な予定位置に行える。また、穴明け中も、突出棒２１がマルチフィルム４１や土４２に突き刺さっており、装置全体１がぐらつかないように姿勢を正確に保持するので筒状刃２による穴開けを一段と安全にかつ正確に行える。
【図面の簡単な説明】
【００２３】
【図１】本発明に係るマルチフィルム穴開け装置を説明するための斜視図である。
【図２】本マルチフィルム穴開け装置の穴開け作業を説明するための図である。
【図３】本マルチフィルム穴開け装置の穴開け作業を説明するための図である。
【図４】本マルチフィルム穴開け装置の筒状刃の内側の付着物を除去する作業を説明するための図である。
【符号の説明】
【００２４】
１  マルチフィルム穴開け装置
２  筒状刃
３  刃部
４  内壁面
６  柄
７  スクレーパ
８  第１取付部材
９  第２取付部材
１１  ワッシャ
１２  ナット
１３  棒
１４  摘み部
１５  握り部
２１  突出棒
【図１】
2007074961.tif 000003
【図２】
2007074961.tif 000004
【図３】
2007074961.tif 000005
【図４】
2007074961.tif 000006